(57)【要約】【課題】葬儀等に際して、遺体への仏衣の着付け及び納棺時の労力を軽減する。【解決手段】本発明に係る仏衣布団１は、棺に収める敷布団２に仏衣３の後身頃が固定され、両脇及び両袖下が開いていることを特徴とする。仏衣３は、敷布団２に固定された後身頃布４と、該後身頃布４の腰相当部位に固定された腰紐７と、後身頃布４に肩線でつながる左右の前身頃布５ａ、５ｂと、後身頃布４と前身頃布５ａ、５ｂの袖付け部位に渡って固定された左右の袖布６ａ、６ｂと、後身頃布４の首相当部位を通って左右の前身頃布５ａ、５ｂの前合わせに渡って形成された襟部９とから構成される。【選択図】図１
2018202014.tif 000002
【特許請求の範囲】
【請求項１】
棺に収める敷布団に仏衣の後身頃が固定され、両脇及び両袖下が開いていることを特徴とする仏衣布団。
【請求項２】
前記仏衣が、上半身相当の部分のみであることを特徴とする請求項１に記載の仏衣布団。
【請求項３】
前記仏衣が、経帷子であることを特徴とする請求項１又は２のいずれかに記載の仏衣布団。
【請求項４】
前記仏衣が、
敷布団に固定された後身頃布と、
前記後身頃布の腰相当部位に固定された腰紐と、
前記後身頃布に肩線でつながる左右の前身頃布と、
前記後身頃布と前記前身頃布の袖付け部位に渡って固定された左右の袖布と、
前記後身頃布の首相当部位を通って前記左右の前身頃布の前合わせに渡って形成された襟部と
から構成されることを特徴とする請求項１から３のいずれかに記載の仏衣布団。
【請求項５】
前記仏衣及び前記敷布団の少なくとも一方に取り外し可能に固定された、敷布団の上半部又は全体の上面を覆う大きさを有する汚れ防止シートを備えることを特徴とする請求項１から４のいずれかに記載の仏衣布団。
【請求項６】
後身頃に敷布団に固定されるための留め具を有し、両脇及び両袖下が開いていることを特徴とする仏衣。
【請求項７】
後身頃相当位置に、仏衣の後身頃を固定するための留め具が設けられた納棺用敷布団。
【発明の詳細な説明】
【技術分野】
【０００１】
本発明は、遺体の納棺の際に使用する着物（仏衣）や布団に関する。
【背景技術】
【０００２】
わが国における一般的な習慣では、通夜、葬儀等の儀式の際、遺体は棺に入れた状態で儀式が執り行われるが、遺体を棺内に安置する際には、遺体には伝統的な着物（経帷子）を着せ、布団に寝かせる。ここで、死後硬直した遺体に着物を着せるのは容易ではなく、合掌の姿勢をとったまま死後硬直した遺体にも着付けることができるように改良された着物が提案されている（特許文献１）。また、遺体を安置するマットやシートの側面に遺体を覆うための布が縫着されたものも提案されている（特許文献２、３）。
【先行技術文献】
【特許文献】
【０００３】
【特許文献１】実開昭62-33831号公報
【特許文献２】実用新案登録3111666号公報
【特許文献３】特開2009-161867号公報
【発明の概要】
【発明が解決しようとする課題】
【０００４】
特許文献１の着物は、合掌の姿勢のまま死後硬直した遺体に着付けることはできるものの、遺体を布団に寝かせる際や納棺の作業は従来通りであり、作業者が遺体を支えながら作業を行う必要があった。また、特許文献２のマットは、布団や従事者に遺体が直接触れないように上掛けシートを設けたに過ぎず、葬儀に相応しい印象を与えるものではなかった。特許文献３のシートは、運搬時に遺体を安定して支えるために遺体を覆う布を付けたに過ぎず、これもまた葬儀に相応しい印象を与えるものではなかった。
【０００５】
本発明が解決しようとする課題は、葬儀等に際して、遺体への仏衣の着付け及び納棺時の労力を軽減することである。
【課題を解決するための手段】
【０００６】
上記課題を解決するために成された本発明は、棺に収める敷布団に仏衣の後身頃が固定され、両脇及び両袖下が開いている仏衣布団であることを特徴とする。
【０００７】
本発明の仏衣布団は、上記のように構成されているため、敷布団に固定された後身頃の上に遺体を寝かせ、肩から前身頃を掛けた後に、左右の袖をそれぞれ左右の腕に沿わせて整えることにより、着付けを行う。
【０００８】
ここにおける「仏衣」とは、遺体に着付ける服のことをいい、前述の着物（経帷子）のみならず、洋服等も含む。
【０００９】
敷布団への後身頃の固定方法としては、糸による縫着、面ファスナー、接着剤、接着テープ、粘着剤、粘着テープを用いた接着・貼着、ハトメやリベットによる固着等、あらゆる方法を用いることができるが、縫着によって固定されていることが好ましい。
【００１０】
前記仏衣の両脇及び／又は両袖下には、左右の袖がそれぞれ左右の腕に沿った状態を維持することが可能なように、留め具が設けられていてもよい。留め具の具体例としては、面ファスナー、スナップボタン、カギホック等を挙げることができるが、これらに限定されない。
【００１１】
本発明には、仏衣布団として用いることが可能に成された仏衣及び敷布団を含む。この場合の仏衣は、後身頃に、該後身頃を敷布団に固定するための固定具を有し、両脇及び両袖下が開いている。また、この場合の敷布団は、棺に収めるのに適した大きさや素材の敷布団であって、仏衣の後身頃が固定される箇所に固定具が設けられる。固定具の具体例としては、上述した留め具と同様の具体例（面ファスナー、スナップボタン、カギホック）を挙げることができる。
【００１２】
前記仏衣は、上半身相当の部分のみで構成されていてもよい。下半身は掛け布団によって覆われ、弔問客からは見えないためである。仏衣を上半身相当の部分のみとすることにより、簡略な構成で葬儀に相応しい外見とすることができる。
【００１３】
前記仏衣を経帷子とすることで、仏式の葬儀に適した外見とすることができる。この場合、仏衣布団の仏衣は、敷布団に固定された後身頃布と、その腰相当部位に固定された腰紐と、後身頃布に肩線でつながる左右の前身頃布と、後身頃布と前身頃布の袖付け部位に渡って固定された左右の袖布と、後身頃布の首相当部位を通って左右の前身頃布の前合わせに渡って形成された襟部とから構成される。
【００１４】
左右の前身頃布と襟部の間には、衽が形成されていてもよい。衽の存在によって、遺体に着付けた際に立体的で自然な印象を与えることができる。
【００１５】
襟部には、半襟、或いは半襟と伊達襟が重ねられていてもよい。半襟や伊達襟が重ねられていることによって、襟元に立体感が出て、より自然な着物らしい印象を与える。また、伊達襟を重ねた場合、襟部と半襟の間に色を挿すことができるため、例えば白一色の衣装に対して、葬儀に相応しい控え目な範囲で色を添えることができる。
【００１６】
また、本発明に係る仏衣布団は、仏衣又は敷布団、或いは仏衣と敷布団の両方に取り外し可能に固定された、敷布団の上半部又は全体の上面を覆う大きさを有する汚れ防止シートを備えることが好ましい。この構成により、汚れ防止シートで敷布団の上半部又は全体の上面を覆った状態で遺体を寝かせることができるため、遺体が汚れていた場合に、その汚れが直接仏衣に付着することを防止できる。
【００１７】
上記敷布団には、遺体の移動や棺に収める際の作業性改善のため、把手が設けられていてもよい。
【発明の効果】
【００１８】
本発明の仏衣布団は、棺に収める敷布団に仏衣の後身頃が固定され、両脇及び両袖下が開いていることにより、遺体を布団に寝かせた状態で、袖通しの作業を経由せずに、着付けや納棺等の作業を行うことができる。このため、作業者が遺体を支持しながら前記作業を行う必要が無く、着付け及び納棺時の労力が軽減される。
【図面の簡単な説明】
【００１９】
【図１】本発明に係る仏衣布団の第１実施態様を示す平面図。
【図２】仏衣布団の下面図。
【図３】仏衣布団を遺体に着付けた状態を示す図。
【図４】本発明に係る仏衣布団の第２実施態様を示す平面図。
【図５】本発明に係る仏衣布団の第３実施態様を示す平面図。
【図６】本発明に係る仏衣布団の第４実施態様を示す平面図。
【図７】汚れ防止シートを左右に広げた状態を示す仏衣布団の平面図。
【図８】汚れ防止シートの取り付け手順を説明するための図（１）。
【図９】汚れ防止シートの取り付け手順を説明するための図（２）。
【図１０】汚れ防止シートの取り付け手順を説明するための図（３）。
【図１１】汚れ防止シートの取り付け手順を説明するための図（４）。
【図１２】汚れ防止シートの取り付け手順を説明するための図（５）。
【発明を実施するための形態】
【００２０】
以下、本発明のいくつかの実施形態について図面を用いて説明する。
＜第１実施形態＞
図１〜図３は本発明に係る仏衣布団の第１実施態様を示している。本実施形態に係る仏衣布団１は、敷布団２と該敷布団２に縫着された仏衣３から構成されている。仏衣３は、略身丈尺の後身頃布４と、該後身頃布４の肩線（図１、図２において一点鎖線で示す）に連なる左右の前身頃布５ａ、５ｂと、後身頃布４と左前身頃布５ａに渡る部分の左端部、及び後身頃布４と右前身頃布５ｂに渡る部分の右端部の袖付け部位にそれぞれ縫い付けられた左袖布６ａ及び右袖布６ｂと、腰紐７とを含む。なお、以下の説明では、仏衣３の左右方向に合わせて、図示右側を左側、図示左側を右側と呼ぶ。
【００２１】
左前身頃布５ａ及び右前身頃布５ｂと後身頃布４は１枚の連続した布から成る。左前身頃布５ａと右前身頃布５ｂとの間には約5cmの間隔が空いており、左前身頃布５ａの右端部分、右前身頃布５ｂの左端部分には、それぞれ左右の衽布８ａ、８ｂが縫い付けられている。左衽布８ａの途中部から、後身頃布４の肩線のうち左右の前身頃布５ａ、５ｂが連なっていない箇所（首部）を経て右衽布８ｂの途中部にいたる部分には襟布９が縫いつけられている。
【００２２】
また、左袖布６ａの左端の上下部及び右端の上下部には、それぞれ面ファスナーの雄部１０ａ及び雌部１０ｂが取り付けられている。同様に、右袖布６ｂの右端の上下部及び左端の上下部には、それぞれ面ファスナーの雄部１０ａ及び雌部１０ｂが取り付けられている。
【００２３】
敷布団２は、棺の長さ及び幅とほぼ同じサイズ（例えば長さ180cm×幅55cm、或いは長さ190cm×幅55cm）を有しており、その裏面に複数個（本実施例では４個）の環状紐２１が縫いつけられている。環状紐２１は、敷布団２の左右両側から環状紐２１の一部が突出した状態で残りの部分を略平行に配置して該敷布団２に縫い付けられており、敷布団２から突出した部分は把手２２となる。後述するように、把手２２は、仏衣３が装着された遺体を載せた状態で敷布団２を持ち運ぶ際に使用される。このため、環状紐２１は、持ち運びが容易なように敷布団２の上下の間に略等間隔に配置される。また、環状紐２１には、200kg程度の負荷がかかっても切れ難い丈夫な紐、例えば幅40mm（30〜50mm）のアクリルテープが採用されている。
【００２４】
また、敷布団２には、枕３０が着脱可能に取り付けられるようになっている。枕３０は縦30c、横50cm、高さ10cmの略直方体状をなし、その上面に遺体の頭部が収容される凹部３１が形成されている。枕３０の裏面の中央付近、及び、敷布団の上端から約15cmの位置の左右2箇所にはそれぞれ対となる留め具（図示せず）が取り付けられており、これらの留め具を留めることにより、敷布団２に枕３０が取り付けられる。
【００２５】
上述した仏衣３は、その後身頃布４を敷布団２に縫い付け線Ｌに沿って縫い付けることにより固定されている。このとき、後身頃布４は、その腰相当部位の後面に掛け渡された腰紐７とともに敷布団２に縫いつけられる。また、後身頃布４は、その上端（肩線）が、敷布団２の上端よりも約35cm下側に、下端が敷布団２の下端よりも約2〜5cm程上側に位置するように敷布団２に縫い付けられる。
【００２６】
後身頃布４、腰紐７、前身頃布５ａ、５ｂ、袖布６ａ、６ｂ、襟布９は、白地の綸子地からなる。腰紐７及び襟布９には、芯地を内包させて張りを持たせてある。
【００２７】
遺体に対して上記構成の仏衣布団１は次のようにして取り付けられる。まず、枕３０を敷布団２の上部の所定位置に取り付ける。そして、左右の前身頃布５ａ、５ｂを後身頃布４の上に広げた状態（図１に示す状態）で、後身頃布４の上に遺体を仰向けに寝かす。そして、枕３０の上を覆う前身頃布５ａ、５ｂを左右にずらして遺体の頭部を枕３０の凹部３１に収容する。これにより、遺体の肩が後身頃４の肩線にほぼ合致した状態となる。そして、左右の前身頃布５ａ、５ｂを遺体の肩から腰にかかる部分の上に被せるとともに、左右の袖布６ａ、６ｂを左右の腕に沿わせて、面ファスナーの対となる雄部１０ａと雌部１０ｂを留めて袖の形を整える。このとき、遺体が例えば腕を合唱のポーズにして硬直していても、前身頃布５ａ、５ｂを腕の下に通し、袖布６ａ、６ｂで腕を包み込み、面ファスナーを留めることで、遺体に仏衣３を容易に着用させることができる。最後に腰紐７を結び、仏衣全体の形を整える。そして、遺体の身体の部分に掛布団４０を掛ける。この結果、あたかも遺体に経帷子を着付けたような外見（図３）となる。
なお、後身頃布４の上に寝かした遺体に仏衣３を着用してから、遺体の頭部の下に枕３０を挿入し、その留め具を敷布団２の留め具に留めて枕３０を敷布団２に取り付けるようにしても良い。
【００２８】
この状態で、敷布団２の左右両側に例えば2人ずつ並び、各自が2個の把手２２を持って持ち上げる。そして、棺の中に敷布団２及び掛布団４０とともに遺体を納める。このとき、棺の中に枕３０がちょうど収まるサイズに設定されているため、枕３０の凹部３１に収容された遺体の頭部を、顔が上を向いた状態で配置することができる。
【００２９】
＜第２実施形態＞
図４は、本発明の第２実施態様に係る仏衣布団１０１を示している。なお、ここでは、既に説明した第１実施形態と同一又は対応する構成要素については数字の下二桁が共通する符号を付し、適宜説明を省略する。本実施態様の仏衣布団１０１は、仏衣１０３が上半身相当の部分と下半身相当の部分に分けて構成されている。すなわち、本実施形態では、第１実施形態の後身頃布３に代えて、腰丈の後身頃布１０４と裾よけ布１１１が用いられている。腰紐１０７は裾よけ布１１１の上辺部に縫い付けられている。
【００３０】
後身頃布１０４は腰紐１０７及び裾よけ布１１１と共に、縫い付け線Ｌに沿って敷布団１０２に縫い付けられている。さらに、本実施態様では、重ね襟１１２が、仏衣１０３を遺体に着付けたときに襟布１０９の下からわずかに見える大きさ及び配置で、襟布１０９に縫い付けられている。第２実施態様において、仏衣布団１０１に載置された遺体に仏衣１０３を着付けると、該遺体の下半身が裾よけ布１１１で覆われるため、遺体の下半身も伝統的な着物の外見となる。また、その後、遺体の上から掛け布団を掛けると、第１実施態様と同様に、あたかも遺体に経帷子を着付けたような外見となる。
【００３１】
＜第３実施形態＞
図５は、本発明の第３実施態様に係る仏衣布団を示している。なお、ここでは、既に説明した第２実施形態と同一又は対応する構成要素については数字の下二桁が共通する符号を付し、適宜説明を省略する。本実施態様では、第２実施態様で説明した裾よけ布１１１を省略し、腰丈の後身頃布２０４のみを使用する例を示す。この例では腰紐２０７は後身頃布２０４とともに敷布団に縫い付けられている。
このような構成の本実施態様においても、遺体に着付けた後に掛布団４０を掛けると、第１実施態様と同様に、あたかも遺体に経帷子を着付けたような外見となる。
【００３２】
＜第４実施形態＞
図６〜図１２は第４実施形態に係る仏衣布団を示している。ここでは、既に説明した第１実施形態と同一又は対応する構成要素については数字の下二桁が共通する符号を付し、適宜説明を省略する。
図６及び図７に示すように、本実施形態に係る仏衣布団３０１は、その上面に４枚の汚れ防止シート３４１〜３４４（以下、シート３４１〜３４４と略記する）が取り付けられている。４枚のシート３４１〜３４４のうち２枚のシート３４１、３４２は仏衣布団３０１の上半部に、残り２枚のシート３４３、３４４は下半部に取り付けられている。
【００３３】
左側のシート３４１、３４３はその右縁部を、右側のシート３４２、３４４はその左縁部を、それぞれ敷布団３０２と仏衣３０３の間に挟み込み、敷布団３０２及び仏衣３０３とともに複数箇所、縫い糸３５１で留めることにより仏衣布団３０１に取り付けられている。このとき、仏衣３０３の各部は折り畳まれた状態にあり、４枚のシート３４１〜３４４を敷布団３０２の上に重ねたとき、シート３４１とシート３４２、シート３４３とシート３４４が、それぞれ一部重なった状態で敷布団３０２と仏衣３０３のほぼ全体を覆い隠す。仏衣３０３の各部の折り畳み方については後述する。
【００３４】
仏衣布団３０１の上に遺体を寝かせるときは、仏衣布団３０１の上面がシート３４１〜３４４で覆い隠されている状態（図６の状態）にしておく。これにより、遺体が汚れていた場合に、直接その汚れが敷布団３０２や仏衣３０３に付着することがない。シート３４１〜３４４の上に寝かせた遺体に仏衣３０３を装着するときは、遺体の下から、シート３４１、３４３は左側に、シート３４２、３４４は右側に引き出す（図７に示す状態）。その後、複数箇所の縫い目３５１を切断してシート３４１〜３４４を仏衣布団３０１から取り外す。また、折り畳まれた状態にある仏衣３０３の各部を広げる（図１に示す状態）。その後は、第１実施形態の欄で説明した手順で、遺体に仏衣３０３を装着する。
【００３５】
次に、４枚の汚れ防止シート３４１〜３４４を仏衣布団３０１に取り付ける手順を説明する。
まず、図１に示す状態にある仏衣３０３において、左右の衽布３０８ａ、３０８ｂをそれぞれ左側及び右側に折り返して図８に示す状態にする。このとき襟布３０９の両端部が左右の前身頃３０５ａ、３０５ｂからはみ出ないように、左右の衽布３０８ａ、３０８ｂの折曲角度を調整する。
【００３６】
次に、左袖布３０６ａの全体を右側に折り曲げて、仏衣３０３の上に重ねる（図９に示す状態）。続いて、左衽布３０８ａ及び左前身頃布３０５ａのうち左袖布３０６ａよりも上に位置する部分を下に折り曲げて左袖布３０６ａの上に重ねる（図１０に示す状態）。そして、左袖布３０６ａを半分に折り、左袖布３０６ａの間に左衽布３０８ａ及び左前身頃布３０５ａを挟む（図１１に示す状態）。図１２は、右衽布３０８ｂ、右前身頃布３０５ｂ、右袖布３０６ａも同じように折曲げた状態を示している。最後に、腰紐３０７のうち仏衣３０３の左右両側に位置する部分をそれぞれ四つ折りにする。
【００３７】
以上のようにして仏衣３０３を折り畳んだ後、シート３４１、３４２の縁部を敷布団３０２と仏衣３０３の下半部の間に挟み込み、袖布３０６ａ、３０６ｂ、衽布３０８ａ、３０８ｂ、及び前身頃布３０５ａ、３０５ｂを折り畳んだ部分で３箇所、腰紐３０６を折り畳んだ部分で１箇所、計４箇所を縫い糸３５１で留める。また、シート３４３、３４４の縁部を敷布団３０２と仏衣３０３（後身頃布３０４）の下半部の間に挟み込み、計５箇所を縫い糸３５１で留める。これにより、図７に示す状態となる。
【００３８】
このように、仏衣３０３の各部が全て敷布団３０２の上に位置するように折り畳んだ状態でシート３４１〜３４４を仏衣布団３０１に取り付けたため、敷布団３０２だけでなく、仏衣３０３のほぼ全てをシート３４１〜３４４で覆い隠すことができる。また、折り畳まれた仏衣３０３とともにシート３４１〜３４４を縫い目３５１で留めたため、保管のために仏衣布団３０１を小さく折り畳んだ状態から該仏衣布団３０１を広げたときに、仏衣３０３が折り畳まれた状態を維持することができる。さらに、シート３４１〜３４４の上に遺体を載置したときに仏衣３０３に不必要なシワや折り目が付くことを極力防止できる。
【００３９】
また、シート３４１〜３４４を敷布団３０２の左右に取り付け、且つ、２枚のシート３４１、３４２で仏衣布団３０１の上半部を覆い、２枚のシート３４３、３４４で仏衣布団３０１の下半部を覆うようにしたため、遺体の下からシート３４１〜３４４を簡単に引き出すことができる。
【００４０】
以上、本発明についていくつかの実施形態を例に挙げて説明を行ったが、本発明は上記実施形態に限定されるものではなく、本発明の趣旨の範囲で適宜変更が許容される。
例えば、上記実施形態では、袖布を筒状にするための留め具として面ファスナーを用いたが、これに代えてスナップボタンやカギホック等を用いても良い。
また、上記実施形態では仏衣を敷布団に縫い付けたが、面ファスナーやスナップボタン、カギホック等の固定具を介して仏衣を敷布団に固定するようにしても良い。この構成では、仏衣を敷布団から取り外すことが出来るため、遺体に仏衣を着用させてから該仏衣を敷布団に固定することができる。
【００４１】
上記実施形態では、遺体の頭部を収容するための凹部３１を有する枕３０を用いたが、一般的な枕を用いることも可能である。この場合、棺の中にちょうど収まるサイズ（横幅）の枕を用いることが好ましいが、それよりも小さいサイズの枕を用いても良い。
【００４２】
上述した第４実施形態では、仏衣布団の上半部と下半部の両方に汚れ防止シートを取り付けたが、上半部だけに汚れ防止シートを取り付けても良い。また、１枚の汚れ防止シートで仏衣布団の上半部を覆い、１枚の汚れ防止シートで仏衣布団の下半部を覆うようにしても良く、１枚の汚れ防止シートで仏衣布団の全体を覆うようにしても良い。さらに、汚れ防止シートは仏衣及び敷布団の両方とともに縫い合わせたが、敷布団だけ、或いは仏衣だけに縫い付けても良い。さらにまた、防止シートの敷布団及び仏衣への取り付け方法は縫い糸に限らない。汚れ防止シートは、最終的には仏衣布団から取り外されるものであるため、両面粘着テープや片面粘着テープ等を用いて仏衣布団に仮留めしても良い。
【符号の説明】
【００４３】
１、１０１、２０１、３０１…仏衣布団
２、１０２、２０２、３０２…敷布団
３、１０３、２０３、３０３…仏衣
４、１０４、２０４、３０４…後身頃布
５ａ、１０５ａ、２０５ａ、３０５ａ…左前身頃布
５ｂ、１０５ｂ、２０５ｂ、３０５ｂ…右前身頃布
６ａ、１０６ａ、２０６ａ、３０６ａ…左袖布
６ｂ、１０６ｂ、２０６ｂ、３０６ｂ…右袖布
７、１０７、２０７、３０７…腰紐
８ａ、１０８ａ、２０８ａ、３０８ａ…左衽布
８ｂ、１０８ｂ、２０８ｂ、３０８ｂ…右衽布
９、１０９、２０９、３０９…襟布
１０ａ…雄部
１０ｂ…雌部
２１…環状紐
２２…把手
３０…枕
３１…凹部
４０…掛布団
１１１…裾よけ布
３４１〜３４４…汚れ防止シート
３５１…縫い糸
【図１】
2018202014.tif 000003
【図２】
2018202014.tif 000004
【図３】
2018202014.tif 000005
【図４】
2018202014.tif 000006
【図５】
2018202014.tif 000007
【図６】
2018202014.tif 000008
【図７】
2018202014.tif 000009
【図８】
2018202014.tif 000010
【図９】
2018202014.tif 000011
【図１０】
2018202014.tif 000012
【図１１】
2018202014.tif 000013
【図１２】
2018202014.tif 000014